【手続補正書】
【提出日】平成15年12月16日(2003.12.16)
【手続補正１】
【補正対象書類名】明細書
【補正対象項目名】特許請求の範囲
【補正方法】変更
【補正の内容】
【特許請求の範囲】
【請求項１】
論理セクタをアクセス単位とする記録媒体からデータを再生する再生装置であって、
フレーム単位の整数倍で固定長となるデータを、該固定長のデータを記録単位とし、該記録単位をすべて記録できる最小数の上記論理セクタに割り当て、該記録単位の最初のセクタからデータを順次読み出し、この読み出したデータを順次表示する再生手段
を有することを特徴とする再生装置。
【請求項２】
上記固定長のデータを該記録単位の最初のセクタから１フレーム分読み出し、読み出した１フレーム分のデータをバッファに保存し、バッファに保存した１フレーム分のデータを表示させる静止／ステップ手段を有することを特徴とする請求項１記載の再生装置。
【請求項３】
上記固定長のデータを該記録単位の最初のセクタから１フレーム分読み出し、読み出した１フレーム分のデータをバッファに保存し、バッファに保存した１フレーム分のデータを繰り返して表示させることにより再生速度を変速して再生する変速スロー／逆スロー再生手段を有することを特徴とする請求項１記載の再生装置。
【請求項４】
上記固定長のデータを該記録単位の最初のセクタから単数／複数のセクタをスキップして整数フレームづつ読み、この読み込んだデータを画面に表示することを特徴とする変速キュー／レビュー手段を有することを特徴とする請求項１記載の再生装置。
【請求項５】
上記固定長のデータを該記録単位の最初のセクタから１フレーム分読み出し、読み出した１フレーム分のデータをバッファに保存し、バッファに保存した１フレーム分のデータを繰り返して表示させる回数を連続的に変化させるスローサーチ手段を有することを特徴とする請求項１記載の再生装置。
【請求項６】
上記固定長のデータを該記録単位の最初のセクタから単数／複数のセクタをスキップして整数フレームずつ読み、この読み込んだデータを画面に表示する際に、スキップするセクタ数を連続的に変化させるファーストサーチ手段を有することを特徴とする請求項１記載の再生装置。
【請求項７】
上記変速スロー／逆スロー再生手段は、表示画面上のコントロールバーにて上記変速スロー／逆スロー再生速度を設定することを特徴とする請求項３記載の再生装置。
【請求項８】
上記変速キュー／レビュー手段は、表示画面上のコントロールバーにてキュー／レビューの速度を変速することを特徴とする請求項４記載の再生装置。
【請求項９】
音声の出力を停止させるミュート機能のオンオフの切り換えを制御するフラグと、フィールドスチルとフレームスチルとの切り換えを制御するフラグとを有することを特徴とする請求項１記載の再生装置。
【請求項１０】
論理セクタをアクセス単位とする記録媒体からデータストリームを再生する情報再生方法であって、
フレーム単位の整数倍で固定長となるデータストリームを、該固定長のデータを記録データ単位とし、該記録データ単位をすべて記録できる最小数の上記論理セクタに割り当て、該記録単位の最初のセクタからデータを順次読み出し、この読み出したデータを順次表示する再生工程を有すること
を特徴とする情報再生方法。
【手続補正２】
【補正対象書類名】明細書
【補正対象項目名】００１５
【補正方法】変更
【補正の内容】
【００１５】
上記ネットワークインターフェース１１は、上記ＤＶビデオカメラ１等とを結ぶネットワークと上記２バンクＲＡＭ２ａとに接続され、上記ネットワークと２バンクＲＡＭ３３，３４とのインターフェースを行う。上記２バンクＲＡＭ３３，３４は、一端を上記ネットワークインターフェース１１に、他端をホストバス４に接続され、第１のＲＡＭ３３及び第２のＲＡＭ３４の２個のＲＡＭが第１の切り替えスイッチ３１及び第２の切り替えスイッチ３２にて切り替えられて書込み及び読み出しを交互になされることによりデータの転送速度等を調整する。


【手続補正３】
【補正対象書類名】明細書
【補正対象項目名】００１９
【補正方法】変更
【補正の内容】
【００１９】
上記ＲＯＭ（Read Only Memory）９は、制御コード、データ等を予め設定され、必要な場合に読み出される。このＲＯＭ９としては、例えば１ＭＢのものを用いることができる。


【手続補正４】
【補正対象書類名】明細書
【補正対象項目名】００２１
【補正方法】変更
【補正の内容】
【００２１】
また、上記ＲＩＳＣ ＣＰＵボード２０は、いわゆるＡＴＡ（AT Attachment）アダプタ５と、ＨＤＤ６と、水晶発振器２１とを有している。


【手続補正５】
【補正対象書類名】明細書
【補正対象項目名】００２２
【補正方法】変更
【補正の内容】
【００２２】
上記ＡＴＡアダプタ５は、上記ホストバス４とＨＤＤ６とを直結するためのインターフェースである。このＡＴＡアダプタ５とＨＤＤ６との間は、いわゆるＥＩＤＥ（Enhanced Intelligent Drive Electronics）として知られている、ＡＮＳＩで定められたＡＴＡ標準方式にて結ばれている。このＥＩＤＥは、ＩＤＥ互換であるインターフェースであり、最大データ転送速度が３３Ｍバイト／秒である。


【手続補正６】
【補正対象書類名】明細書
【補正対象項目名】００２５
【補正方法】変更
【補正の内容】
【００２５】
この具体例においては、上記再生装置は、モード設定コマンダ８として表示部一体型のＰＣを用いている。このＰＣの表示部に表示されているように、このモード設定コマンダ８を介し、少なくとも“録画”、“再生”、“スロー”、“キュー”、“レビュー”、“スチル”、“ステップ”及び“サーチ”の操作をすることができる。


【手続補正７】
【補正対象書類名】明細書
【補正対象項目名】００２６
【補正方法】変更
【補正の内容】
【００２６】
上記記録再生装置においては、ＤＶ方式ＳＤ規格のデータ（ＤＶデータ）をＨＤＤ６に記録する場合、１フレームに対応する１１９２００ＢｙｔｅのＤＶデータは、ＲＩＳＣ ＣＰＵ３の制御によって、１フレームを２３３セクタ（１１９２９６Ｂｙｔｅ）に固定で割り当てられる。上記ＤＶビデオカメラ１の備えるエンコーダ／デコーダ１ａから転送された転送されたＡＶデジタルデータストリームは、２バンクＲＡＭ３３，３４を介して順次ＨＤＤ６のセクタに記録される。


【手続補正８】
【補正対象書類名】明細書
【補正対象項目名】００２８
【補正方法】変更
【補正の内容】
【００２８】
上記モニタ７は、表示画面とスピーカ７ａとを有し、上記ＤＶビデオカメラ１にて取得した映像及び音声を出力するものである。このモニタ７には、上記ＤＶビデオカメラ１を介して上記ＡＶマイコンシステム１０において記録される、又は上記ＡＶマイコンシステム１０において再生される映像及び音声が出力される。


【手続補正９】
【補正対象書類名】明細書
【補正対象項目名】００７５
【補正方法】変更
【補正の内容】
【００７５】
ステップＳ１６においては、ステップＳ１５においてＳＲＡＭに書き込まれた上記ＡＶデジタルデータストリームのフラグの書き換えがなされる。そして、次のステップＳ１７に進む。


【手続補正１０】
【補正対象書類名】明細書
【補正対象項目名】００８９
【補正方法】変更
【補正の内容】
【００８９】
ステップＳ３４においては、このスローが順方向（＋１／５）に行われるのか逆方向（−１／５）について行われるかについて分岐する。順方向に行われる場合には、ステップＳ３５に進み、逆方向に行われる場合についてはステップＳ４４に進む。


【手続補正１１】
【補正対象書類名】明細書
【補正対象項目名】００９１
【補正方法】変更
【補正の内容】
【００９１】
ステップＳ３６においては、上記ステップＳ３５にてＳＲＡＭに読み込まれたＡＶデジタルデータストリームのフラグが書き換えられる。そして、ステップＳ３７に進む。ステップＳ３７においては、上記ステップＳ３５においてＳＲＡＭに読み込まれ、ステップＳ３６においてフラグが書き換えられたデータが５回画面に表示される。


【手続補正１２】
【補正対象書類名】明細書
【補正対象項目名】００９４
【補正方法】変更
【補正の内容】
【００９４】
ステップＳ３９においては、上記ステップＳ３８にてＳＲＡＭに読み込まれたＡＶデジタルデータストリームのフラグが書き換えられる。そして、ステップＳ４０に進む。


【手続補正１３】
【補正対象書類名】明細書
【補正対象項目名】００９７
【補正方法】変更
【補正の内容】
【００９７】
ステップＳ４２においては、上記ステップＳ４１にてＳＲＡＭに読み込まれたＡＶデジタルデータストリームのフラグが書き換えられる。そして、ステップＳ４３に進む。


【手続補正１４】
【補正対象書類名】明細書
【補正対象項目名】０１００
【補正方法】変更
【補正の内容】
【０１００】
ステップＳ４５においては、上記ステップＳ４４にてＳＲＡＭに読み込まれたＡＶデジタルデータストリームのフラグが書き換えられる。そして、ステップＳ４６に進む。このステップＳ４６においては、上記ステップＳ４４においてＳＲＡＭに読み込まれ、上記ステップＳ４５においてフラグが書き換えらえらたデータが５回画面に表示される。


【手続補正１５】
【補正対象書類名】明細書
【補正対象項目名】０１０３
【補正方法】変更
【補正の内容】
【０１０３】
ステップＳ４８においては、上記ステップＳ４７にてＳＲＡＭに読み込まれたＡＶデジタルデータストリームのフラグが書き換えられる。そして、ステップＳ４９に進む。


【手続補正１６】
【補正対象書類名】明細書
【補正対象項目名】０１０６
【補正方法】変更
【補正の内容】
【０１０６】
ステップＳ５１においては、上記ステップＳ５０にてＳＲＡＭに読み込まれたＡＶデジタルデータストリームのフラグが書き換えられる。そして、ステップＳ５２に進む。


【手続補正１７】
【補正対象書類名】明細書
【補正対象項目名】０１１５
【補正方法】変更
【補正の内容】
【０１１５】
ステップＳ６４においては、第ｎ−１フレームの表示が行われる。ここでは、上記第ｎ−２フレームから６フレーム先に対応するＳ＋２３３＊（ｎ−１）＊６セクタから２３３セクタのＡＶデジタルデータストリームがリードされてＳＲＡＭに読み込まれ、この読み込まれたＡＶデジタルデータストリームが画面表示される。そして、ステップＳ６５に進む。


【手続補正１８】
【補正対象書類名】明細書
【補正対象項目名】０１２０
【補正方法】変更
【補正の内容】
【０１２０】
ステップＳ６７においては、第ｎ−１フレームの表示が行われる。ここでは、上記第ｎ−２フレームから６フレーム前に対応するＳ−２３３＊（ｎ−１）＊６セクタから２３３セクタのＡＶデジタルデータストリームがリードされてＳＲＡＭに読み込まれ、この読み込まれたＡＶデジタルデータストリームが画面表示される。そして、ステップＳ６８に進む。


【手続補正１９】
【補正対象書類名】明細書
【補正対象項目名】０１２５
【補正方法】変更
【補正の内容】
【０１２５】
ファーストサーチの機能は、フレームの切れ目の任意セクタから２３３セクタの任意整数倍のセクタ数をスキップし、フレームデータを読み込み画面に表示する。連続的な再生速度の変更は、ＲＳ−２３２Ｃに接続されたコマンダの制御画面によって、スキップするセクタ数の任意整数倍の値を連続的に変化させることにより実現される。


【手続補正２０】
【補正対象書類名】明細書
【補正対象項目名】０１４０
【補正方法】変更
【補正の内容】
【０１４０】
なお、これまでＤＶビデオカメラを用いて、ＤＶ信号をハードディスクのセクタを整数倍の関係に記録再生することによってアクセスのよい変速再生を実現するシステムについて述べてきたが、ＭＰＥＧ信号を出力するＭＰＥＧ信号のＧＯＰ及びフレームのデータ数を固定になるように制御して、これをセクタの整数倍に当てはめることによって、ＭＰＥＧにおいても同様なアクセスのよい変速再生を実現できることになる。


【手続補正２１】
【補正対象書類名】明細書
【補正対象項目名】０１４１
【補正方法】変更
【補正の内容】
【０１４１】
【発明の効果】
本発明は、フレームの整数倍で固定長となるＡＶデータストリームをＨＤＤに記録し、再生する装置において、フレーム整数倍のデータをＨＤＤの所定数論理セクタに割り当て、該記録単位の最初の任意のセクタから、ソフトウェアのみによるデータ転送制御により、様々な方法でデータを読み出すことで記録／再生機能を実現することによって、ハードウェアによるデータ転送制御で記録／再生機能を実現する従来の方法と比較して、容易に変速再生機能を実現することを可能にした。


【手続補正２２】
【補正対象書類名】明細書
【補正対象項目名】０１４２
【補正方法】変更
【補正の内容】
【０１４２】
また、本発明により、変速再生速度を自由に変化させることが可能となったため、連続的に変速再生速度を制御することも可能となった。


【手続補正２３】
【補正対象書類名】明細書
【補正対象項目名】図９
【補正方法】変更
【補正の内容】
【図９】上記情報再生方法に係るキュー／レビューの一連の工程を示す図である。